(57)【特許請求の範囲】
【請求項１】
音声データを作成する音声データ作成手段と、
音声符号化データを作成する音声符号化データ作成手段と、
前記音声データおよび前記音声符号化データを受け、前記音声データまたは前記音声符号化データを選択的に出力する信号切り替え手段と、
音声データであるか音声符号化データであるかを識別するための識別子を出力する制御手段と、
前記信号切り替え手段からのデータを含むデータ部と前記制御手段からの識別子を含む付加情報とを有するフォーマットの信号を出力する変換手段とを備えた信号処理回路であって、
前記制御手段は、
音声データを示す状態から音声符号化データを示す状態に前記識別子を切り替えた後に、前記音声データから前記音声符号化データへ出力を切り替えるように前記信号切り替え手段を制御し、
さらに、
前記音声データは、末尾に無音データ部分が挿入されている
ことを特徴とする信号処理回路。
【請求項２】
請求項１に記載の信号処理回路において、
前記変換手段は、
前記信号切り替え手段からのデータをＩＥＣ６０９５８規格に準拠したフォーマットの信号に変換して出力する
ことを特徴とする信号処理回路。
【発明の詳細な説明】
【０００１】
【発明の属する技術分野】
この発明は信号処理回路および信号処理方法に関し、さらに詳しくは、複数のデジタルオーディオデータを切り替えて出力する信号処理回路および信号処理方法に関する。
【０００２】
【従来の技術】
近年のマルチメディア技術の進展により、デジタル化された映像・音声・データなどの複数のメディアを統合的に扱う応用機器（たとえば、ＤＶＤプレーヤやデジタルＴＶ放送用チューナなど）が普及し始めている。ＤＶＤプレーヤやデジタルＴＶ用チューナなどの機器では周辺機器へのデジタルオーディオデータの伝送のために通称ＩＥＣ６０９５８と呼ばれるデジタルオーディオインターフェースが使用されている。このインターフェースは音声データの伝送だけでなくＭＰＥＧ，ＤｏｌｂｙＡＣ−３，ＤＴＳなどの規格に基づいて圧縮符号化した音声符号化データの機器間伝送にも使用されている。ＤＶＤプレーヤやデジタルＴＶ用チューナなどではデジタルオーディオインターフェースにより伝送するデータの途中切り替えすなわち音声データと音声符号化データとの出力切り替えを行うことが要望されてきている。ＤＶＤプレーヤによる音声データと音声符号化データとの出力切り替えは、たとえばＤＶＤビデオにおいて同一音声再生時に視聴者から音声切り替えの指示がある場合に行われる。また、ＤＶＤビデオディスクの同一トラックに２種類のデジタルデータが格納されている場合（たとえば第１音声がＭＰＥＧストリーム、第２音声が音声データであるリニアＰＣＭというような場合）において第１音声から第２音声に出力を切り替えるように視聴者から指示を受けたときにも行われる。さらに、ＤＶＤビデオをさまざまな言語で試聴することが可能な場合において第１音声である日本語のデータを第２音声であるその他の言語のデータに切り替える指示を受けたときにも行われる。また、デジタル放送の選局のためにデジタルＴＶ用チューナがチャンネル切り替えを行う際にも音声データと音声符号化データとの出力切り替えを行うことがある。
【０００３】
以下、ＤＶＤプレーヤやデジタルＴＶ用チューナなどにおいて音声データと音声符号化データとの出力切り替えを行う信号処理回路について説明する。
【０００４】
図４は従来の信号処理回路の構成を示すブロック図である。図４に示す信号処理回路は信号作成部１０１および１０２と、信号切り替え部１０３と、変換部１０４と、制御部１０５とを備える。信号作成部１０１は、音声データＤ１０１を作成する。信号作成部１０２は、たとえばＭＰＥＧ，ＤｏｌｂｙＡＣ−３，ＤＴＳなどの規格に基づいて符号化された音声符号化データＤ１０２を作成する。制御部１０５は、視聴者からの切り替えの指示を示す信号Ｓ１０１に応答して切り替え指示信号Ｓ１０２および識別子ＩＤ１０１を出力する。識別子ＩＤ１０１は、ＩＥＣ６０９５８規格のチャンネルステータスに属しかつ音声データまたは音声符号化データを識別するための情報である。信号切り替え部１０３は、制御部１０５からの切り替え指示信号Ｓ１０２に応答して信号作成部１０１からの音声データＤ１０１または信号作成部１０２からの音声符号化データＤ１０２を信号Ｄ１０３として出力する。変換部１０４は、信号切り替え部１０３からの信号Ｄ１０３をＩＥＣ６０９５８に準拠したフォーマットのデジタル信号に変換して信号Ｄ１０４として出力する。
【０００５】
図５（ａ）および（ｂ）は、ＩＥＣ６０９５８準拠のデジタル信号のフォーマットを示す図である。変換部１０４から出力される信号Ｄ１０４は、図５（ａ）に示すように連続する複数のワードにより構成される。各ワードの先頭には同期信号、続いてオーディオデータ、末尾には付加情報が存在する。付加情報には、このチャンネルで伝送されているデータについての情報が記述されている。この付加情報の１つにチャンネルステータス１ビットが存在する。オーディオサンプル１ワードからなるサブフレームを２つ合わせて１フレームとし、たとえばステレオ信号のＬとＲに用いる。さらに、１９２フレームで１つのブロックとし、このブロックが１単位となる。上述のチャンネルステータスなどのビットは、ブロック内の１９２ビットが１ブロック分のチャンネルステータスとして構成される。図５（ｂ）に示すように、１９２フレームすなわち１ブロックのチャンネルステータスでは２ビット目を音声データまたは音声符号化データを表わす識別子として用いる。ＩＥＣ６０９５８準拠のデジタル信号では、上記ビットが０である場合は音声データであると識別され、１である場合は音声符号化データであると識別される。したがって、音声データであるか音声符号化データであるかを判別するには１９２フレーム分のデータを必要とする。
【０００６】
次に、ＤＶＤプレーヤなどによるディスク再生時に視聴者からの音声切り替え指示を受けた際の図４に示した信号処理回路の動作について図６を参照しつつ説明する。
【０００７】
時刻Ｔ１の時点では、信号切り替え部１０３は信号作成部１０１側に接続され、信号作成部１０１からの音声データＤ１０１を信号Ｄ１０３として出力している。
【０００８】
時刻Ｔ２において視聴者からの切り替え指示があると信号Ｓ１０１が切り替わる。信号Ｓ１０１の切り替わりに応答して制御部１０５は切り替え信号Ｓ１０２および識別子ＩＤ１０１を切り替える。切り替え信号Ｓ１０２の切り替わりに応答して信号切り替え部１０３は、接続を信号作成部１０１側から信号作成部１０２側に切り替える。このとき、出力信号Ｄ１０４のチャンネルステータス内の識別子が音声データを期待しているブロックの途中で音声符号化データに切り替えて出力することがある。
【０００９】
このように、信号切り替え部１０３から出力される音声データＤ１０１の途中で視聴者からの切り替え指示があった場合にはすぐに信号切り替え部１０３の出力Ｄ１０３が音声データＤ１０１から音声符号化データＤ１０２に切り替わる。その結果、変換部１０４において、チャンネルステータス内の識別子が音声データを表示しているブロックの途中すなわち時刻Ｔ２からＴ３の間で音声データから音声符号化データにオーディオデータが切り替わり、ＡＶアンプ等のレシーバが音声符号化データを音声データとして出力してしまうためレシーバにおいてノイズ信号が生じる（ノイズＡ）。
【００１０】
また、変換部１０４においてチャンネルステータス内の識別子が音声データを期待しているブロックから音声符号化データを期待しているブロックに変わった直後の出力信号Ｄ１０４を受信するＡＶアンプ等のレシーバにおいて、システムコントローラが出力信号を認識し制御を行う時間（時刻Ｔ３からＴ４の期間）が必要である。しかし、その時間が考慮されていないため、切り替え後の音声データまたは音声符号化データの認識および制御が正確には行われずレシーバにおいてノイズ信号が生じる（ノイズＢ）。
【００１１】
【発明が解決しようとする課題】
上述のように従来の信号処理回路では、ＤＶＤプレーヤなどによるディスク再生時に視聴者からの音声切り替え指示を受け音声データから音声符号化データに出力を切り替える際に、出力信号のチャンネルステータス内の識別子が音声データを表示しているブロックの途中で音声符号化データに切り替えて出力することがある。さらに出力を音声符号化データから音声データに切り替える際に、出力信号のチャンネルステータス内の識別子が音声符号化データを表示しているブロックの途中で音声データを出力することがある。そのため、周辺機器であるデコーダ内臓デジタルＡＶアンプ等のレシーバは、チャンネルステータス内の識別子が音声データを期待しているブロックの途中で音声符号化データに切り替えてしまうと次のブロック以降でチャンネルステータス内の識別子が音声符号化データを示すように変更するまで音声データとして再生し続けノイズの原因となる。
【００１２】
また、音声データと音声符号化データとの出力切り替えの際に音声データの出力レベルが高い場合にはショック音が発生することもある。また、出力切り替えの際には、その出力信号を受け取るＡＶアンプ等のレシーバにおいてシステムコントローラが出力信号を認識し制御を行う時間が必要である。しかし、その時間が考慮されていないため、切り替え後の音声データまたは音声符号化データの認識および制御が正確には行われず、レシーバにおいてノイズ信号が生じるなど音声切り替え時に発生する雑音が視聴者にとって耳障りであり不快感を与える。
【００１３】
従来このような音声出力切り替え時のデコーダの動作不良、ノイズやショック音の発生を防止するため、ＤＶＤビデオの視聴中に出力音声を切り替えたい場合に視聴者はＤＶＤプレーヤの動作を一旦停止させ音声切り替え操作をした後に再びディスク再生の操作を行う必要があり、利便性に欠ける。
【００１４】
この発明は上記のような問題を解決するためになされたものであり、その目的は、ＤＶＤプレーヤなどによるディスク再生時においても音声出力の切り替えを行うことができる信号処理回路を提供することである。
【００１５】
【課題を解決するための手段】
この発明による信号処理回路は、音声データ作成手段と、音声符号化データ作成手段と、信号切り替え手段と、制御手段と、変換手段とを備える。音声データ作成手段は音声データを作成する。音声符号化データ作成手段は音声符号化データを作成する。信号切り替え手段は、音声データ作成手段によって作成された音声データおよび音声符号化データ作成手段によって作成された音声符号化データを受け、受けた音声データまたは音声符号化データを選択的に出力する。制御手段は、音声データであるか音声符号化データであるかを識別するための識別子を出力する。変換手段は、信号切り替え手段からのデータを含むデータ部と制御手段からの識別子を含む付加情報とを有するフォーマットの信号を出力する。そして上記制御手段は、音声データを示す状態から音声符号化データを示す状態に識別子を切り替えた後に、音声データ作成手段によって作成された音声データから音声符号化データ作成手段によって作成された音声符号化データへ出力を切り替えるように信号切り替え手段を制御する。
【００１６】
好ましくは、上記変換手段は、信号切り替え手段からのデータをＩＥＣ６０９５８規格に準拠したフォーマットの信号に変換して出力する。
【００１７】
上記信号処理回路によれば、上記信号処理回路を搭載したＤＶＤプレーヤによるディスク再生時に出力切り替え指示を受けた場合であっても、ＩＥＣ６０９５８規格のブロック内において保証された音声符号化データをデコーダに供給することができ、従来発生していたデコーダの動作不良およびノイズの発生を防止することができる。したがって、従来はＤＶＤプレーヤ等の動作停止時しか行うことができなかった音声出力切り替え操作をディスク操作時にも行うことができ、視聴者は映像を視聴しながらの音声切り替え操作を容易に行うことができ、利便性を向上させることができる。
【００１８】
好ましくは、上記音声データ作成手段は、制御手段による音声データを示す状態から音声符号化データを示す状態への識別子の切り替えに応答してミュート処理を行う。
【００１９】
好ましくは、上記制御手段は、音声符号化データから音声データへ出力を切り替えるように信号切り替え手段を制御した後に、音声符号化データを示す状態から音声データを示す状態に識別子を切り替える。
【００２０】
上記信号処理回路によれば、上記信号処理回路を搭載したＤＶＤプレーヤによるディスク再生時に出力切り替え指示を受けた場合であってもＩＥＣ６０９５８規格のブロック内において保証された音声データをデコーダに供給することができ、従来発生していたデコーダの動作不良およびノイズの発生を防止することができる。したがって、従来はＤＶＤプレーヤ等の動作停止時しか行うことができなかった音声出力切り替え操作をディスク操作時にも行うことができ、視聴者は映像を視聴しながらの音声切り替え操作を容易に行うことができ、利便性を向上させることができる。
【００２１】
好ましくは、上記制御手段は、音声データを示す状態から音声符号化データを示す状態に識別子を切り替えた後、さらにＩＥＣ６０９５８規格のブロックを所定の数だけウエイトした後に、音声データから音声符号化データへ出力を切り替えるように信号切り替え手段を制御する。
【００２２】
上記信号処理回路によれば、出力切り替えの際にその出力信号を受け取るＡＶアンプ等のレシーバにおいて、システムコントローラが出力信号を認識し、制御を行う時間が考慮されており、切り替え時の出力信号を認識し、制御を行う時間が必要なレシーバにおいても、切り替え後の音声符号化データの認識及び制御が正確に行われ、レシーバにおいてノイズ信号が生じることがなく音声を出力することが可能となる。
【００２３】
好ましくは、音声データの末尾に無音データ部分を挿入してから信号切り替え手段の出力を音声データから音声符号化データに切り替える。
【００２４】
上記信号処理回路では、出力切り替えの際にその出力信号を受け取るＡＶアンプ等のレシーバにおいて、システムコントローラは無音データ部分を認識することにより、レシーバの出力をあらかじめミュート処理の制御及び音声データから音声符号化データへの切り替わり予測が可能であるので、切り替え時に無効なデータが生じた場合でも、レシーバ等においてノイズ信号が生じることがなく音声を出力することが可能となる。
【００２５】
好ましくは、音声符号化データの末尾に無音データ部分を挿入してから信号切り替え手段の出力を音声符号化データから音声データに切り替える。
【００２６】
上記信号処理回路では、出力切り替えの際にその出力信号を受け取るＡＶアンプ等のレシーバにおいて、システムコントローラは無音データ部分を認識することにより、レシーバの出力をあらかじめミュート処理の制御及び音声符号化データから音声データへの切り替わり予測が可能であるので、切り替え時に無効なデータが生じた場合でも、レシーバ等においてノイズ信号が生じることがなく音声を出力することが可能となる。
【００２７】
この発明による信号処理方法は、与えられたデータを含むデータ部と与えられた識別子を含む付加情報とを有するフォーマットの信号を出力する変換手段に、音声データまたは音声符号化データと、音声データであるか音声符号化データであるかを識別するための識別子とを与える信号処理方法であって、音声データを示す状態から音声符号化データを示す状態に変換手段に与える識別子を切り替えた後に、音声データから音声符号化データへ変換手段に与えるデータを切り替える。
【００２８】
【発明の実施の形態】
以下、この発明の実施の形態を図面を参照して詳しく説明する。なお、図中同一または相当部分には同一の符号を付し、その説明は繰り返さない。
【００２９】
（第１の実施形態）
図１は、この発明の第１の実施形態による信号処理回路の全体構成を示すブロック図である。図１に示す信号処理回路はＤＶＤプレーヤやデジタルＴＶ用チューナなどの機器に設けられ、周辺機器へのデジタルオーディオデータの伝送のために使用される。図１に示す信号処理回路は、信号作成部１，２と、信号切り替え部３と、変換部４と、制御部５とを備える。
【００３０】
信号作成部１は音声データＤ１を生成する。信号作成部２は、ＭＰＥＧ，ＤｏｌｂｙＡＣ−３，ＤＴＳなどの規格に基づいて符号化された音声符号化データＤ２を生成する。
【００３１】
信号切り替え部３は、制御部５からの切り替え指示信号Ｓ２に応答して信号作成部１からの音声データＤ１または信号作成部２からの音声符号化データＤ２を信号Ｄ３として出力する。
【００３２】
変換部４は、信号切り替え部３からの信号Ｄ３をＩＥＣ６０９５８規格に準拠したフォーマットすなわち図５（ａ）に示すようなフォーマットのデジタル信号に変換して信号Ｄ４として出力する。このとき変換部４は、１９２フレームすなわち１ブロックのチャンネルステータスの２ビット目を制御部５からの識別子ＩＤ１に従って０または１に設定する。具体的には、制御部５からの識別子ＩＤ１が音声データを示すときは“０”を設定し、音声符号化データを示すときは“１”を設定する。また変換部４は、信号Ｄ４がＩＥＣ６０９５８規格のブロックのどの部分であるかを示す信号Ｓ３を制御部５に出力する。
【００３３】
制御部５は、視聴者からの切り替え指示を示す信号Ｓ１および変換部４からの信号Ｓ３に応答して切り替え指示信号Ｓ２および識別子ＩＤ１を出力する。識別子ＩＤ１はＩＥＣ６０９５８規格のチャンネルステータスに属しかつ音声データまたは音声符号化データを識別するための情報である。また制御部５は、切り替え指示信号Ｓ２および識別子ＩＤ１を出力するタイミングを変換部４からの信号Ｓ３に応じて制御する。
【００３４】
次に、以上のように構成された信号処理回路の動作について説明する。以下では、ＤＶＤプレーヤなどによるディスク再生時に視聴者から音声切り替え指示を受けた際の動作を説明する。
【００３５】
まず、音声データから音声符号化データに切り替える場合について図２を参照しつつ説明する。
【００３６】
時刻Ｔ１の時点では、信号切り替え部３は信号作成部１側に接続され、信号作成部１からの音声データＤ１を信号Ｄ３として出力している。
【００３７】
次いで時刻Ｔ２において、視聴者からの切り替え指示に従って信号Ｓ１が切り替わる。信号Ｓ１の切り替わりに応答して制御部５は、ミュート処理を行うように信号作成部１に指示を出すとともに識別子ＩＤ１を切り替える。制御部５からの指示を受けて信号作成部１は音声データＤ１に対してミュート処理を行って音声出力レベルを下げる。
【００３８】
一方、時刻Ｔ２において信号Ｓ１が切り替わっても制御部５はすぐには切り替え指示信号Ｓ２を切り替えない。制御部５は、ＩＥＣ６０９５８規格のブロックを所定の数だけウエイトした後に時刻Ｔ３において切り替え指示信号Ｓ２を切り替える。これにより、出力切り替えの際に、信号Ｄ４を受け取るＡＶアンプ等のレシーバにおいてシステムコントローラが出力信号を認識し制御を行う時間が考慮され、切り替え後の音声符号化データの認識および制御が正確に行われ、レシーバにおいてノイズ信号が生じることがなく音声を出力することが可能となる。
【００３９】
制御部５は、時刻Ｔ３において変換部４からの信号Ｓ３によりＩＥＣ６０９５８規格のブロックの周期が終了したことを検出すると切り替え指示信号Ｓ２を切り替える。信号切り替え部３は、制御部５からの切り替え指示信号Ｓ２の切り替わりに応答して信号作成部１側から信号作成部２側へ接続を切り替え、変換部４は識別子ＩＤ１を受け取り出力信号Ｄ４として出力する。これにより、視聴者からの切り替え指示のタイミングに関わらず、チャンネルステータス内の識別子が音声データを期待しているブロックの途中で音声符号化データに切り替わることなく信号Ｄ４が出力されるようになる。
【００４０】
さらに信号作成部１は、時刻Ｔ２において音声データＤ１に対してミュート処理を行って音声出力レベルを下げ、時刻Ｔ３において切り替え指示信号Ｓ２を切り替える。時刻Ｔ２から時刻Ｔ３までのミュート処理間のデータは保持されているため、出力信号Ｄ４はミュート処理間のデータ構造も保証できる。
【００４１】
なお、音声データＤ１から音声符号化データＤ２への切り替え時に音声データＤ１の末尾に無音データ部分を挿入してから音声符号化データＤ２に切り替えてもよい。これにより、出力切り替えの際に、出力信号Ｄ４を受け取るＡＶアンプ等のレシーバにおけるシステムコントローラによって無音データ部分を認識し、レシーバ等の出力をあらかじめミュート処理したり音声データから音声符号化データへの切り替わりを予測したりすることが可能となる。この結果、変換部４において切り替え時にＩＥＣ６０９５８準拠のデジタル信号でない無効なデータが生じた場合でもレシーバ等においてノイズ信号が生じることなく音声を出力することが可能となる。
【００４２】
次に、音声符号化データから音声データに切り替える場合について図３を参照しつつ説明する。
【００４３】
時刻Ｔ１の時点では、信号切り替え部３は信号作成部２側に接続され、信号作成部２からの音声符号化データＤ２を信号Ｄ３として出力している。
【００４４】
次いで時刻Ｔ２において、視聴者からの切り替え指示に従って信号Ｓ１が切り替わる。信号Ｓ１の切り替わりに応答して制御部５は切り替え指示信号Ｓ２を切り替える。信号切り替え部３は、制御部５からの切り替え指示信号Ｓ２の切り替わりに応答して信号作成部２側から信号作成部１側へ接続を切り替える。その後
時刻Ｔ３において、制御部５は識別子ＩＤ１を切り替える。
【００４５】
なお、ここでは視聴者からの切り替え指示に従って切り替え指示信号Ｓ２を切り替えたが、変換部４からの信号Ｓ３によりＩＥＣ６０９５８規格のブロックの周期が終了したことを検出するタイミングにあわせて切り替え信号Ｓ２を切り替えてもよい。これにより、信号切り替え部３の出力切り替え時に先頭に同期信号を含む音声データＤ１が出力されるようになる。
【００４６】
また、音声符号化データＤ２から音声符号化データＤ１への切り替え時に音声符号化データＤ２の末尾に無音データ部分を挿入してから音声データＤ１に切り替えてもよい。これにより、出力切り替えの際に、出力信号Ｄ４を受け取るＡＶアンプ等のレシーバにおけるシステムコントローラによって無音データ部分を認識し、レシーバ等の出力をあらかじめミュート処理したり音声符号化データから音声データへの切り替わりを予測したりすることができる。この結果、変換部４において切り替え時にＩＥＣ６０９５８準拠のデジタル信号でない無効なデータが生じた場合でもレシーバ等においてノイズ信号が生じることなく音声を出力することが可能となる。
【００４７】
以上のように第１の実施形態による信号処理回路では、ＤＶＤプレーヤによるディスク再生時に視聴者からの出力切り替え指示を受けた際は、ＩＥＣ６０９５８規格のブロックの周期が終了したことを検出するタイミングに信号切り替え部３の出力切り替えのタイミングを調整するため、周期の保証された出力データＤ４をデジタルオーディオインターフェースを介してデコーダ内蔵デジタルＡＶアンプ等の周辺機器に供給することができる。これにより、従来発生していたデコーダによる動作不良およびノイズ発生をなくすことができる。
【００４８】
また、音声データＤ１と音声符号化データＤ２との出力切り替えの際に、音声データＤ１に対してミュート処理を行って音声レベルを一旦下げるため、音声切り替え時にショック音が発生するのを防止することができる。したがって、従来はＤＶＤプレーヤの動作停止時にしか行うことができなかった音声出力切り替え操作をディスク再生時にも行うことができ、視聴者は映像を視聴しながら音声を日本語からその他の言語へ切り替える等の音声切り替え操作を容易に行うことができる。
【００４９】
また、例えば、ＤＶＤビデオディスクのトラックに複数の音声符号化データが記録されている場合など複数の音声符号化データの出力切り替えを行う際にも、両データの周期状態を検知し出力切り替えのタイミングを制御することで両データの周期を保証しながら出力切り替えを行い、上記同様の効果を得ることが可能となる。
【００５０】
【発明の効果】
この発明による信号処理回路によれば、当該信号処理回路を搭載ＤＶＤプレーヤによるディスク再生時に出力切り替え指示を受けた場合であっても、ＩＥＣ６０９５８規格のブロック内において保証された音声符号化データをデコーダに供給することができ、従来発生していたデコーダの動作不良及びノイズの発生を防止することが可能である。従って、従来はＤＶＤプレーヤ等の動作停止時しか行うことができなかった音声出力切り替え操作をディスク操作時にも行うことができ、視聴者は映像を視聴しながらの音声切り替え操作を容易に行うことができ、利便性を向上させることが可能となる。
【図面の簡単な説明】
【図１】この発明の第１の実施形態による信号処理回路の全体構成を示すブロック図である。
【図２】音声データから音声符号化データへの切り替え動作を説明するためのタイムチャートである。
【図３】音声符号化データから音声データへの切り替え動作を説明するためのタイムチャートである。
【図４】従来の信号処理回路の全体構成を示すブロック図である。
【図５】（ａ）および（ｂ）は、ＩＥＣ６０９５８準拠のデジタル信号のフォーマットを示す図である。
【図６】ＤＶＤプレーヤなどによるディスク再生時に視聴者から音声切り替え指示を受けた際の図３に示した信号処理回路の動作を説明するためのタイムチャートである。
【符号の説明】
１，２  信号作成部
３  信号切り替え部
４  変換部
５  制御部
【図１】
0003550110.tif 000002
【図２】
0003550110.tif 000003
【図３】
0003550110.tif 000004
【図４】
0003550110.tif 000005
【図５】
0003550110.tif 000006
【図６】
0003550110.tif 000007